(57)【要約】【課題】外力により不意に刈り高さが変化することがなく、且つ、使い勝手の良いヘアーカッターを提供する。【解決手段】駆動部を内蔵した本体部２に、スライドにより駆動部のオンオフを切替えるスイッチハンドル５と、櫛歯状の固定刃３ｂとこの固定刃３ｂに対して駆動部により摺接駆動される櫛歯状の可動刃３ａとを有する刃ブロック３と、先端に櫛部を備えてその櫛部と前記刃ブロック３の刃先部分との間隔をスライドにより可変とする刈り高さ調整アタッチメント１と、回転により刈り高さ調整アタッチメント１を連動してスライドさせる回転ダイアル４とを具備したヘアーカッター２０において、駆動部をオンとする位置にあるスイッチハンドル５の係合部５ａを回転ダイアル４の被係合部４ａと係合させることで回転ダイアル４の回転をロックさせる。【選択図】　　　　図１
2004000327.tif 000002
【特許請求の範囲】
【請求項１】
駆動部を内蔵した本体部に、スライドにより駆動部のオンオフを切替えるスイッチハンドルと、櫛歯状の固定刃とこの固定刃に対して駆動部により摺接駆動される櫛歯状の可動刃とを有する刃ブロックと、先端に櫛部を備えてその櫛部と前記刃ブロックの刃先部分との間隔をスライドにより可変とする刈り高さ調整アタッチメントと、回転により刈り高さ調整アタッチメントを連動してスライドさせる回転ダイアルとを具備したヘアーカッターにおいて、スイッチハンドルが駆動部をオンとする位置にある時に回転ダイアルの回転をロックするロック手段を設けたことを特徴とするヘアーカッター。
【請求項２】
ロック手段をスイッチハンドルに連結される連結部材と回転ダイアルで形成したことを特徴とする請求項１記載のヘアーカッター。
【請求項３】
連結部材に係合部を形成すると共に回転ダイアルに被係合部を形成し、駆動部をオンとする位置にあるスイッチハンドルと連結した連結部材の係合部を回転ダイアルの被係合部と係合させることでロック手段としたことを特徴とする請求項２記載のヘアーカッター。
【請求項４】
回転ダイアルに複数の被係合部を形成すると共に、この複数の被係合部と連結部材の係合部が係合する夫々の位置で回転ダイアルを段階的に係止させるクリック係止手段を備えたことを特徴とする請求項３記載のヘアーカッター。
【請求項５】
ロック手段をスイッチハンドルと回転ダイアルで形成したことを特徴とする請求項１記載のヘアーカッター。
【請求項６】
スイッチハンドルに係合部を形成すると共に回転ダイアルに被係合部を形成し、駆動部をオンとする位置にあるスイッチハンドルの係合部を回転ダイアルの被係合部と係合させることでロック手段としたことを特徴とする請求項５記載のヘアーカッター。
【請求項７】
回転ダイアルに複数の被係合部を設けると共に、この複数の被係合部とスイッチハンドルの係合部とが係合する夫々の位置で回転ダイアルを段階的に係止させるクリック係止手段を備えたことを特徴とする請求項６記載のヘアーカッター。
【請求項８】
回転ダイアルの回転がロックされた状態にて該回転ダイアルに或る一定以上の外力が作用した場合には駆動部をオフとする位置にスイッチハンドルをスライドさせる安全機構を設けたことを特徴とする請求項１〜７のいずれか記載のヘアーカッター。
【請求項９】
駆動部をオンとする位置にあるスイッチハンドルが回転ダイアルを押圧することでロック手段としたことを特徴とする請求項５記載のヘアーカッター。
【請求項１０】
スイッチハンドルを回転ダイアルの内側に配置したことを特徴とする請求項１〜９のいずれか記載のヘアーカッター。
【請求項１１】
スイッチハンドルと回転ダイアルを本体部の正面に配置したことを特徴とする請求項１０記載のヘアーカッター。
【請求項１２】
現在の回転ダイアルの回転位置と対応して設定される現在の刈り高さを表示する表示部を設けたことを特徴とする請求項１〜１１のいずれか記載のヘアーカッター。
【発明の詳細な説明】
【０００１】
【発明の属する技術分野】
本発明は、摺接する櫛状の固定刃と可動刃によって毛髪のカットを行うヘアーカッターに関する。
【０００２】
【従来の技術】
ヘアーカッターとは、本体部の先端に櫛状の固定刃と可動刃を有した刃ブロックを備えると共にモータにより可動刃を固定刃に対して摺接駆動させて毛髪をカットするものであり、本体部の外面にスライド自在に係止させた刈り高さ調整アタッチメントを操作して刈り高さの多段階調整を可能としたものが従来から数多く提案されている。また、本体部に回転ダイアルを設けると共に該回転ダイアルの回転と連動して刈り高さ調整アタッチメントを刃先方向にスライドさせるようにしたものも従来から数多く提案されている。
【０００３】
【発明が解決しようとする課題】
しかしながら、上記のような刈り高さ調整アタッチメントを具備した従来のヘアーカッターにあっては、刈り高さ調整アタッチメントが外力により不意にスライドして刈り高さが変化してしまうことを防止する為に刈り高さ調整アタッチメントの保持力を大きく設定する必要があり、その為に回転ダイアルの操作が重くなって使い勝手の悪いものとなっていた。また、特開平７−２３６７８０号公報には、回転ダイアルにロック機構を設けることも提案されているが、この場合は回転ダイアルを操作する際に押し込みながら回転させなければならないことから両手で操作する必要があり、やはり使い勝手の悪いものであった。
【０００４】
本発明は上記の点に鑑みてなされたものであり、刈り高さ調整アタッチメントを強く押え込んでも不意に刈り高さが変化することがなく安全であり、且つ、使い勝手の良いヘアーカッターを提供することを課題とするものである。
【０００５】
【課題を解決するための手段】
上記課題を解決するために本発明を、駆動部を内蔵した本体に、スライドにより駆動部のオンオフを切替えるスイッチハンドルと、櫛歯状の固定刃とこの固定刃に対して駆動部により摺接駆動される櫛歯状の可動刃とを有する刃ブロックと、先端に櫛部を備えてその櫛部と前記刃ブロックの刃先部分との間隔をスライドにより可変とする刈り高さ調整アタッチメントと、回転により刈り高さ調整アタッチメントを連動してスライドさせる回転ダイアルとを具備したヘアーカッターにおいて、スイッチハンドルが駆動部をオンとする位置にある時に回転ダイアルの回転をロックするロック手段を設けたことを特徴としたものとする。このようにすることで、使用時には回転ダイアルがロックされることから刈り高さ調整アタッチメントが不意にスライドして刈り高さが変更されてしまうことを防止し、且つ、使用時以外には回転ダイアルがロックされないことから回転ダイアルを軽い操作力で回転させて刈り高さを調整することができる。
【０００６】
また、ロック手段をスイッチハンドルに連結される連結部材と回転ダイアルで形成することも好ましく、このようにすることで、連結部材を内部に収納してロック手段を外部より視認不能とし、外観をシンプルに仕上げることができる。
【０００７】
また、連結部材に係合部を形成すると共に回転ダイアルに被係合部を形成し、駆動部をオンとする位置にあるスイッチハンドルと連結した連結部材の係合部を回転ダイアルの被係合部と係合させることでロック手段とすることも好ましく、このようにすることで、回転ダイアルの回転を確実にロックすることができる。
【０００８】
また、回転ダイアルに複数の被係合部を形成すると共に、この複数の被係合部と連結部材の係合部が係合する夫々の位置で回転ダイアルを段階的に係止させるクリック係止手段を備えることも好ましく、このようにすることで、予め設定される複数の刈り高さの中から簡単に刈り高さを設定することができると共に、いずれの刈り高さにおいても使用時には回転ダイアルの回転を確実にロックすることができる。
【０００９】
また、ロック手段をスイッチハンドルと回転ダイアルで形成することも好ましく、このようにすることで、部品点数を削減してコンパクトなヘアーカッターとすることができる。
【００１０】
また、スイッチハンドルに係合部を形成すると共に回転ダイアルに被係合部を形成し、駆動部をオンとする位置にあるスイッチハンドルの係合部を回転ダイアルの被係合部と係合させることでロック手段とすることも好ましく、このようにすることで、回転ダイアルの回転を簡単な構成で確実にロックすることができる。
【００１１】
また、回転ダイアルに複数の被係合部を設けると共に、この複数の被係合部とスイッチハンドルの係合部とが係合する夫々の位置で回転ダイアルを段階的に係止させるクリック係止手段を備えることも好ましく、このようにすることで、予め設定される複数の刈り高さの中から簡単に刈り高さを決定することができると共に、いずれの刈り高さにおいても使用時には回転ダイアルの回転を確実にロックすることができる。
【００１２】
また、回転ダイアルの回転がロックされた状態にて該回転ダイアルに或る一定以上の外力が作用した場合には駆動部をオフとする位置にスイッチハンドルをスライドさせる安全機構を設けることも好ましく、このようにすることで、使用時に回転ダイアルが回転して不意に刈り高さが変更された場合には駆動部が自動的にオフになることから、誤って短く刈り過ぎることがなく安心して使用することができる。
【００１３】
また、駆動部をオンとする位置にあるスイッチハンドルが回転ダイアルを押圧することでロック手段とすることも好ましく、このようにすることで、回転ダイアルがどの回転位置にある場合でもスイッチハンドルをスライドさせて駆動部をオンにすればその状態で回転ダイアルの回転をロックすることができ、刈り高さを細かく設定して確実に保持することが可能となる。
【００１４】
また、スイッチハンドルを回転ダイアルの内側に配置することも好ましく、このようにすることで、駆動部のオンオフの操作部分と刈り高さの調整部分とを密接してコンパクトに設置することができ、使い勝手が良いものとなる。
【００１５】
また、スイッチハンドルと回転ダイアルを本体部の正面に配置することも好ましく、このようにすることで、使用時に駆動部のオンオフや刈り高さを容易に視認することができ、更に使い勝手が良いものとなる。
【００１６】
また、現在の回転ダイアルの回転位置と対応して設定される現在の刈り高さを表示する表示部を設けることも好ましく、このようにすることで、現在設定されている刈り高さが一目で分かるようになり、更に使い勝手が良いものとなる。
【００１７】
【発明の実施の形態】
以下、本発明を添付図面に示す実施の形態に基づいて説明する。図１には、本発明の実施の形態における一例のヘアーカッター２０の刈り高さ調整アタッチメント１を本体部２から取外した状態を示しており、図２には主要部を分解した状態を示している。
【００１８】
本体部２には駆動部（図示せず）を内蔵しており、本体部２を把持した際に上側に位置する先端部には、櫛歯状の固定刃３ｂとこの固定刃３ｂに対して駆動部により摺接駆動される櫛歯状の可動刃３ａを有した刃ブロック３を設けている。本体部２の正面部分のハウジングには環状を成すダイアル用貫通孔２ｂを形成しており、前記ダイアル用貫通孔２ｂの近傍には刃ブロック３の刃先方向に長尺の矩形を成すラック用貫通孔２ａを形成している。
【００１９】
回転ダイアル４は正面視略環状を成す部材であり、正面側の形状をその内周側と外周側とで段差を設けて外周側の環状部分４ｃが内周側の環状部分４ｄより一段高くなるよう形成している。前記内周側の環状部分４ｄにはスライド溝７ａを備えて概略円板状を成すスイッチ基台７を載置し、スイッチ基台７を介して回転ダイアル４が本体部２に回転自在に支持されるようにしている。スライド溝７ａは刃先方向に長尺であってその刃先側端部がスイッチ基台７の外周面にて開口するように形成しており、前記スライド溝７ａ内にてスイッチハンドル５を刃先方向にスライド自在に配置している。本体部２に内蔵される駆動部のオンオフはスイッチハンドル５の刃先方向のスライドにより切替えられる構造になっており、スイッチハンドル５が刃先側に位置する時に駆動部がオンとなり、刃先側と逆側に位置する時にオフとなるものである。回転ダイアル４の背面側には歯部４ｂを延設しており、この歯部４ｂがダイアル用貫通孔２ｂを介してハウジング内部に位置し、回転ダイアル４と一体に回転するようになっている。
【００２０】
ラック６は、共に刃先方向に長尺である操作桿６ａと歯部６ｂとを一体に具備して成る正面視略コ字状の部材であり、操作桿６ａの刃先側端部からは正面側に向けて係合用突部６ｃを延設している。前記ラック６は本体部２のハウジング内に位置すると共に係合用突部６ｃだけをラック用貫通孔２ａから正面側に突出させており、ハウジング内部にてラック６の歯部６ｂと回転ダイアル４の歯部４ｂとを噛合わせている。ラック６の歯部６ｂには刃先方向の一直線状に複数の歯を並設しており、これが回転ダイアル４の歯部４ｂにて円弧状に並設される複数の歯と噛合うことで、回転ダイアル４の回転と連動してラック６が刃先方向にスライドすると共に、係合用突部６ｃがラック用貫通孔２ａ内を刃先方向に移動するものである。
【００２１】
刈り高さ調整アタッチメント１は本体部２の刃ブロック３を覆う位置にて刃先方向にスライド自在に装着される部材であり、その内壁にラック用貫通孔２ａから突出した係合用突部６ｃを係合させている。従って、回転ダイアル４を回転させると係合用突部６ｃを介して刈り高さ調整アタッチメント１が刃先方向に自在にスライドし、刈り高さ調整アタッチメント１の先端に備えた櫛部と刃ブロック３の刃先部分との距離を自在に変更することができるようになっている。
【００２２】
本体部２のダイアル用貫通孔２ｂ近傍に形成した溝部２ｃには凸部８ａを有した板ばね８を保持しており、回転ダイアル４の背面に形成した複数の溝（図示せず）と前記凸部８ａとが弾性的に係合することで、回転ダイアル４が段階的な複数の位置で係止されてクリック感を得ながら回転するようになっている。そして、回転ダイアル４がこの複数の段階的な係止位置の夫々にある時に、スイッチ基台７のスライド溝７ａ内を刃先方向にスライドさせたスイッチハンドル５の刃先側に設けた凸状の係合部５ａが係合するように、回転ダイアル４の内壁４ｅに凹状の被係合部４ａを前記係止位置に対応して複数形成している。
【００２３】
従って、図３（ａ）に示すようにスイッチハンドル５を刃先側と逆側に位置させて駆動部をオフとした状態では回転ダイアル４を回転させて刈り高さを段階的に選択することができ、図３（ｂ）に示すようにスイッチハンドル５を刃先側にスライドさせて駆動部をオンに切替えた状態ではスイッチハンドル５の係合部５ａが回転ダイアル４の被係合部４ａと係合することで回転ダイアル４の回転がロックされる。つまり、駆動部をオンにして毛髪をカットしている間は外力が作用しても回転ダイアル４が回転することはなく、刈り高さの不意な変更が防止されるものである。上記被係合部４ａは回転ダイアル４の段階的な各係止位置に対応して複数形成されていることから、いずれの刈り高さに設定した場合でも回転ダイアル４の回転は確実にロックされる。そして、駆動部がオフとなる位置にスイッチハンドル５をスライドさせればスイッチハンドル５の係合部５ａと回転ダイアル４の被係合部４ａとの係合は解除され、回転ダイアル４が再び回転自在となって刈り高さ調整アタッチメント１をスライドさせて刈り高さを変更できるようになる。
【００２４】
このように、ロック手段をスイッチハンドル５と回転ダイアル４で形成し、詳しくはスイッチハンドル５に係合部５ａを形成すると共に回転ダイアル４に被係合部４ａを形成し、駆動部をオンとする位置にあるスイッチハンドル５の係合部５ａを回転ダイアル４の被係合部４ａと係合させることでロック手段としたことで、部品点数を増やすことなく簡単な構成で回転ダイアル４の確実なロックが可能になっている。
【００２５】
また、板ばね８及び回転ダイアル４の背面に形成した複数の溝から成るクリック係止手段を設けたことで、回転ダイアル４に設けた複数の被係合部４ａとスイッチハンドル５の係合部５ａとが係合する夫々の位置で回転ダイアル４を段階的に係止させ、予め設定される複数の刈り高さの中から簡単に刈り高さを決定することができると共に、いずれの刈り高さにおいても使用時には回転ダイアル４の回転を確実にロックすることができるようになっている。
【００２６】
なお、本例のヘアーカッター２０は上記のようにスイッチハンドル５を本体部２の正面において回転ダイアル４の内側に配置させていることから、操作部分が全体にコンパクトに収まって操作を行い易く、且つ、使用時に駆動部のオンオフや刈り高さを確認し易くなっている。
【００２７】
図４には本発明の実施の形態における他例のヘアーカッター２０を示している。他例の基本的構成は既述した一例と同様であることから説明を省略するが、他例にあっては特徴的な構成として刈り高さが誤って変更された時に自動的に駆動部をオフとする安全機構を具備している。
【００２８】
具体的には、スイッチハンドル５の刃先側に形成される係合部を三角形状に突出した係合部５ａ´とし、回転ダイアル４の内壁４ｅに形成される被係合部を前記係合部５ａ´の嵌合する三角形状に凹んだ被係合部４ａ´としている。従って、駆動部をオンとする位置にスライドさせたスイッチハンドル５の係合部５ａ´と回転ダイアル４の被係合部４ａ´とが係合して回転ダイアル４の回転がロックされた状態において、例えば刈り高さ調整アタッチメント１を無理に押し込んで回転ダイアル４に或る一定以上の外力が作用した場合には、回転ダイアル４の被係合部４ａ´の斜辺部分がスイッチハンドル５を押し込んで駆動部をオフにする位置にまでスライドさせる。つまり、使用時に誤って刈り高さが変化してしまった時には自動的に駆動部がオフにされることから短く刈り過ぎることがなく、安心して使用することができるものである。
【００２９】
図５には本発明の実施の形態における別例のヘアーカッター２０を示している。別例の基本的構成は既述した一例と同様であることから説明を省略するが、別例にあっては特徴的な構成として、一例のようなクリック係止手段を備えず回転ダイアル４が無段階に回転するようになっており、更に、スイッチハンドル５が回転ダイアル４の内壁４ｅを押圧することで回転ダイアルの４のロック手段としている。
【００３０】
つまり、駆動部をオンとする位置にスイッチハンドル５をスライドさせると、スイッチハンドル５の刃先側外壁５ｂが、回転ダイアル４の内壁４ｅを押圧することで回転ダイアル４の回転がロックされるものであり、回転ダイアル４がどの回転位置にあってもスイッチハンドル５を刃先側にスライドさせて駆動部をオンにすればその状態において回転ダイアル４の回転はロックされることとなり、刈り高さを無段階に設定して確実に保持しておくことができる。
【００３１】
また、回転ダイアル４の外周面には三角形状の突起部４ｆを設けると共に本体部２には目盛り９を設けており、現在の回転ダイアル４の回転位置に対応して突起部４ｆが指し示す目盛り９の値によって、現在設定される刈り高さが表示されるようになっている。そして、この突起部４ｆ及び目盛り９から成る表示部によって現在の刈り高さを確認しながら刈り高さを微妙に調整することが可能なものである。
【００３２】
なお、同様の表示部を一例や他例や後述する更に別例のヘアーカッター２０に設けても構わない。
【００３３】
図６〜図８には本発明の実施の形態における更に別例のヘアーカッター２０を示している。更に別例の基本的構成は既述した一例と同様であることから説明を省略して、更に別例の特徴的な構成であるロック手段やクリック係止手段の構成について以下に詳しく述べる。
【００３４】
正面視略環状であると共に背面側に歯部４ｂを備えて成る回転ダイアル４の中央貫通孔４ｈの内壁面には円周方向に所定間隔を隔てて複数の溝部３０を被係合部として設けており、本体部２のダイアル用貫通孔２ｂにこの回転ダイアル４を回転自在に嵌合させている。概略円板状を成すスイッチ基台７は回転ダイアル４の中央貫通孔４ｈ内に位置させて本体部２に取付けており、このスイッチ基台７の正面上にて刃先方向にスライド自在にスイッチハンドル５を配置している。スイッチハンドル５とスイッチ基台７と回転ダイアル４と本体部２とは夫々の正面が略面一となるように組み立てられるものであり、回転ダイアル４の中央貫通孔４ｈ内であって本体部２とスイッチ基台７に挟まれる空間内には、連結部材３１をスイッチハンドル５の背面から延設した脚部（図示せず）に連結させて配設している。
【００３５】
前記連結部材３１は板状の部材であって、その中央に穿設した連結孔３１ｂにスイッチハンドル５の脚部を嵌合させることでスイッチハンドル５と一体に刃先方向にスライドするものである。そして、駆動部をオンとする位置（即ち刃先側の位置）にスイッチハンドル５があるときに、連結部材３１の刃先側に凸状に形成した係合部である先端部３１ａが、被係合部である回転ダイアルの溝部３０に嵌合して回転ダイアル４の回転を確実にロックするようになっている。
【００３６】
回転ダイアル４の外側面には複数の係止溝（図示せず）を形成しており、この係止溝と回転ダイアル４の近傍に配置したばね板８の凸部８ａとが弾性的に係合することで、回転ダイアル４に設けた複数の溝部３０のいずれかに連結部材３１の先端部３１ａが係合する夫々の位置で回転ダイアル４が段階的に係止されてクリック感を得ながら回転するようになっている。
【００３７】
このように、ロック手段をスイッチハンドル５に連結される連結部材３１と回転ダイアル４で形成し、詳しくは連結部材３１に係合部である先端部３１ａを形成すると共に回転ダイアル４に被係合部である溝部３０を形成し、駆動部をオンとする位置にあるスイッチハンドル５と連結した連結部材３１の先端部３１ａを回転ダイアル４の溝部３０と係合させることでロック手段としたことで、ロック手段を成す連結部材３１や回転ハンドル４の溝部３０をスイッチハンドル５やスイッチ基台７で隠して外観をシンプルに形成することができるものである。
【００３８】
また、ばね板８と回転ダイアル４の外側面に形成した係止溝とで、回転ダイアル４の複数の溝部３０と連結部材３１の先端部３１ａが係合する夫々の位置で回転ダイアル４を段階的に係止させるクリック係止手段を形成したことで、予め設定される複数の刈り高さの中から簡単に刈り高さを設定することができると共に、いずれの刈り高さにおいても使用時には回転ダイアル４の回転を確実にロックすることができるものである。
【００３９】
なお、更に他例においては安全機構として連結部材３１の先端部３１ａを三角形状に凸設すると共に、回転ダイアル４の溝部３０を前記先端部３１ａの嵌合する略三角形状に凹設しているので、他例と同様に、駆動部をオンとする位置にあるスイッチハンドル５に連結した連結部材３１の先端部３１ａと回転ダイアル４の溝部３０とが係合して回転ダイアル４の回転をロックした状態において、例えば刈り高さ調整アタッチメント１を無理に押し込んで回転ダイアル４に或る一定以上の外力が作用した場合には、回転ダイアル４の溝部３０の斜辺部分が連結部材３１を押し込んで駆動部をオフにする位置にまでスイッチハンドル５を一体にスライドさせる。つまり、使用時に誤って刈り高さが変化してしまった時には自動的に駆動部がオフにされることから短く刈り過ぎることがなく、安心して使用することができるものである。
【００４０】
【発明の効果】
上記のように請求項１記載の発明にあっては、使用時には回転ダイアルがロックされることから刈り高さ調整アタッチメントが不意にスライドして刈り高さが変更されてしまうことがなく安心して使用可能であり、且つ、使用時以外には回転ダイアルがロックされないことから回転ダイアルを軽い操作力で回転させて刈り高さを調整することができることから使い勝手良く使用可能であるという効果がある。
【００４１】
また、請求項２記載の発明にあっては、請求項１記載の発明の効果に加えて、連結部材を内部に収納してロック手段を外部より視認不能とし、外観をシンプルに仕上げることができるという効果がある。
【００４２】
また、請求項３記載の発明にあっては、請求項２記載の発明の効果に加えて、回転ダイアルの回転を確実にロックすることができるという効果がある。
【００４３】
また、請求項４記載の発明にあっては、請求項３記載の発明の効果に加えて、予め設定される複数の刈り高さの中から簡単に刈り高さを設定することができると共に、いずれの刈り高さにおいても使用時には回転ダイアルの回転を確実にロックすることができるという効果がある。
【００４４】
また、請求項５記載の発明にあっては、請求項１記載の発明の効果に加えて、部品点数を削減してコンパクト化することができるという効果がある。
【００４５】
また、請求項６記載の発明にあっては、請求項５記載の発明の効果に加えて、回転ダイアルの回転を簡単な構成で確実にロックすることができるという効果がある。
【００４６】
また、請求項７記載の発明にあっては、請求項６記載の発明の効果に加えて、予め設定される複数の刈り高さの中から簡単に刈り高さを決定することができると共に、いずれの刈り高さにおいても使用時には回転ダイアルの回転を確実にロックすることができるという効果がある。
【００４７】
また、請求項８記載の発明にあっては、請求項１〜７のいずれか記載の発明の効果に加えて、使用時に回転ダイアルが回転して不意に刈り高さが変更された場合には駆動部が自動的にオフになることから、誤って短く刈り過ぎることがなく安心して使用することができるという効果がある。
【００４８】
また、請求項９記載の発明にあっては、請求項５記載の発明の効果に加えて、回転ダイアルがどの回転位置にある場合でもスイッチハンドルをスライドさせて駆動部をオンにすればその状態で回転ダイアルの回転をロックすることができることから、刈り高さを細かく設定して確実に保持することが可能になるという効果がある。
【００４９】
また、請求項１０記載の発明にあっては、請求項１〜９のいずれか記載の発明の効果に加えて、駆動部のオンオフの操作部分と刈り高さの調整部分とを密接してコンパクトに設置することができ、使い勝手が良いものになるという効果がある。
【００５０】
また、請求項１１記載の発明にあっては、請求項１２記載の発明の効果に加えて、使用時に駆動部のオンオフや刈り高さを容易に視認することができ、更に使い勝手が良いものになるという効果がある。
【００５１】
また、請求項１２記載の発明にあっては、請求項１〜１１のいずれか記載の発明の効果に加えて、現在設定されている刈り高さが一目で分かるようになり、更に使い勝手が良いものになるという効果がある。
【図面の簡単な説明】
【図１】本発明の実施の形態における一例のヘアーカッターの刈り高さ調整アタッチメントを取外した状態を示す斜視図である。
【図２】同上のヘアーカッターの分解斜視図である。
【図３】同上のヘアーカッターの説明図であり、（ａ）は非使用時の状態を示し、（ｂ）は使用時の状態を示している。
【図４】本発明の実施の形態における他例のヘアカッターの分解斜視図である。
【図５】本発明の実施の形態における別例のヘアカッターの分解斜視図である。
【図６】本発明の実施の形態における更に別例のヘアーカッターの刈り高さ調整アタッチメントを取外した状態を示す斜視図である。
【図７】同上のヘアーカッターの分解斜視図である。
【図８】同上のヘアーカッターの説明図であり、（ａ）は非使用時の状態を示し、（ｂ）は使用時の状態を示している。
【符号の説明】
１　刈り高さ調整アタッチメント
２　本体部
３　刃ブロック
３ａ　可動刃
３ｂ　固定刃
４　回転ダイアル
４ａ　被係合部
４ｆ　突起部
５　スイッチハンドル
５ａ　係合部
８　板ばね
９　目盛り
２０　ヘアーカッター
３０　溝部
３１　連結部材
３１ａ　先端部
【図１】
2004000327.tif 000003
【図２】
2004000327.tif 000004
【図３】
2004000327.tif 000005
【図４】
2004000327.tif 000006
【図５】
2004000327.tif 000007
【図６】
2004000327.tif 000008
【図７】
2004000327.tif 000009
【図８】
2004000327.tif 000010